(57)【要約】【課題】停電時を含めて常に、かご室内を十分に換気することが可能なエレベーターかご室を得る。【解決手段】エレベーターかご室は、上下端から外側に折り返された上部折返し部１Ａと下部折返し部１Ｂとを有し、上部折返し部１Ａと下部折返し部１Ｂとに換気用孔６，７を設けた壁パネル１と、壁パネル１の上部折返し部１Ａとの間に通気可能な隙間２０を設けて設置された天井２と、壁パネル１の下部折返し部１Ｂとの間に通気可能な隙間２１を設けて設置された床部材３とから構成されている。【選択図】図１
2017001758.tif 000002
【特許請求の範囲】
【請求項１】
上下端から外側に折り返された上部折返し部と下部折返し部とを有し、前記上部折返し部と前記下部折返し部とに換気用孔を設けた壁パネルと、
前記壁パネルの前記上部折返し部との間に通気可能な隙間を設けて設置された天井と、
前記壁パネルの前記下部折返し部との間に通気可能な隙間を設けて設置された床部材と
を備えた、エレベーターかご室。
【請求項２】
前記換気用孔から流入または流出される空気の流路となる前記上部折返し部及び前記下部折返し部の前記空気に接する側の面に吸音材を設けた、
請求項１に記載のエレベーターかご室。
【請求項３】
前記壁パネルの前記上部折返し部と前記下部折返し部との少なくともいずれか一方に、前記換気用孔の代わりに、切欠きを設けた、
請求項１または２に記載のエレベーターかご室。
【請求項４】
前記壁パネルの前記上部折返し部と前記下部折返し部とは、外側に向かって直角に２回折り曲げられ、コの字型断面を有している、
請求項１から３までのいずれか１項に記載のエレベーターかご室。
【請求項５】
前記壁パネルの前記上部折返し部と前記下部折返し部とは、外側に向かって直角に１回折り曲げられ、Ｌ字型断面を有している、
請求項１から３までのいずれか１項に記載のエレベーターかご室。
【発明の詳細な説明】
【技術分野】
【０００１】
本発明は、エレベーターかご室に関し、特に、換気効率の向上を図るためのエレベーターかご室に関する。
【背景技術】
【０００２】
従来のエレベーターかご室は、一般的に、４枚の壁パネルと天井と床部材とから構成されている。このような従来のエレベーターかご室の壁パネルは、上下左右端に、かご室の外側に向かって折り曲げられた折返し部を有している。この曲げ加工された上部折返し部と天井とがボルトナットにより締結され、同様に、下部折返し部と床部材とがボルトナットにより締結されている。
【０００３】
上記のような従来のエレベーターかご室においては、一般的に、エレベーターかご室の壁下部に換気用孔が設けられている。
【先行技術文献】
【特許文献】
【０００４】
【特許文献１】特許第４５７０１９８号公報
【発明の概要】
【発明が解決しようとする課題】
【０００５】
上記のように、従来のエレベーターかご室には、壁下部に換気用孔が設けられている。しかしながら、壁上部には換気用孔は設けられていない。そのため、排気は可能であるが、吸気が不十分となる。その結果、十分な換気効果が得られないという問題点があった。
【０００６】
そのため、特許文献１では、換気効果を向上させるため、天井に換気装置を設けている。換気装置は、天井から壁下部の換気用孔の方向に送風を起こし、当該送風により、かご内の空気を換気用孔から外部に排気させる構成となっている。特許文献１では、換気用孔から排出された空気は、そのまま外部に放出されず、壁パネルと壁パネルの外側に設置された補強材との間に形成された通気路を通って、通気路の上端から外部に放出される。そのため、換気効率が悪く、換気装置により送風を起こして強制的に排気を行わなくては、エレベーターかご室内の空気は十分に外部に放出されない構成となっている。このように、特許文献１では、換気装置を必要とする構成であるため、換気装置の設置費用および換気装置の運用コスト等がかかり、また、停電の際には、換気装置が動作しないので、十分に換気がされないという問題点があった。
【０００７】
本発明は、かかる問題点を解決するためになされたものであり、停電時を含めて常に、かご室内を十分に換気することが可能なエレベーターかご室を提供することを目的とする。
【課題を解決するための手段】
【０００８】
本発明は、上下端から外側に折り返された上部折返し部と下部折返し部とを有し、前記上部折返し部と前記下部折返し部とに換気用孔を設けた壁パネルと、前記壁パネルの前記上部折返し部との間に通気可能な隙間を設けて設置された天井と、前記壁パネルの前記下部折返し部との間に通気可能な隙間を設けて設置された床部材とを備えた、エレベーターかご室である。
【発明の効果】
【０００９】
本発明は、上下端から外側に折り返された上部折返し部と下部折返し部とを有し、前記上部折返し部と前記下部折返し部とに換気用孔を設けた壁パネルを備えるようにしたので、壁パネル下部の換気用孔からかご室内に侵入した空気が、かご室内の乗客の発熱により発生する自然対流により上昇し、壁パネル上部の換気用孔からかご室外に排出される構成であるので、換気用孔が壁パネル下部にしか無かった従来のエレベーターかご室に比べて、かご室内を十分に換気することが可能である。また、自然対流により空気を排出する構成としたので、電気で駆動する換気装置等を必要としないため、停電時を含め、常に換気を行うことができる。
【図面の簡単な説明】
【００１０】
【図１】本発明の実施の形態１に係るエレベーターかご室の壁パネル、天井、床部材の構成を示した断面図である。
【図２】図１に示す壁パネルの構成を示した斜視図である。
【図３】本発明の実施の形態１に係るエレベーターかご室の壁パネルの変形例の構成を示した斜視図である。
【図４】図１に示す壁パネルの上部折返し部の構成を示した部分拡大図である。
【図５】図１に示す壁パネルの下部折返し部の構成を示した部分拡大図である。
【図６】本発明の実施の形態１に係るエレベーターかご室の壁パネルの変形例の構成を示した斜視図である。
【発明を実施するための形態】
【００１１】
実施の形態１．
以下、本発明の実施の形態１に係るエレベーターかご室について図面を用いて説明する。
【００１２】
図１に示すように、本実施の形態に係るエレベーターかご室は、壁パネル１、天井２、および、床部材３から構成されている。天井２および床部材３は、それぞれ、矩形である。壁パネル１は、天井２および床部材３のそれぞれの４辺に対して１枚ずつ設置されるため、のべ４枚設置されている。
【００１３】
壁パネル１は、鋼板から構成されている。壁パネル１は、全体が縦長の長方形形状となっている。壁パネル１の上下端には、当該上下端から外側に折り返された上部折返し部と下部折返し部とが設けられている。上部折返し部は、壁パネル１の上端を外側に向かって直角に２回折り曲げる曲げ加工により形成されている。同様に、下部折返し部は、壁パネル１の下端を外側に向かって直角に２回折り曲げる曲げ加工により形成されている。従って、図１に示すように、壁パネル１の上下端は、断面がコの字型の折返し部となっている。このように、壁パネル１の本体部分と上部折返し部と下部折返し部とは、１枚の鋼板から構成される。
なお、以下では、壁パネル１の上端のコの字型の折返し部分を「コの字型折返し部１Ａ」と呼ぶこととする。また、「コの字型折返し部１Ａ」のうち、水平方向に延びた部分を「上部折返し部４」と呼び、垂直方向の下方向に延びた先端部分を「上側部折返し部８」と呼ぶこととする。
同様に、以下では、壁パネル１の下端のコの字型の折返し部分を「コの字型折返し部１Ｂ」と呼ぶこととする。また、「コの字型折返し部１Ｂ」のうち、水平方向に延びた部分を「下部折返し部５」と呼び、垂直方向の上方向に延びた先端部分を「下側部折返し部９」と呼ぶこととする。
【００１４】
壁パネル１の上側部折返し部８及び下側部折返し部９は、それぞれ、図１に示すように、天井２と床部材３とにボルト（図示省略）等により締結されている。天井２は、周囲がＬ字型断面になるように下向きに直角に折り曲げられている。同様に、床部材３は、周囲がＬ字型断面になるように上向きに直角に折り曲げられている。従って、壁パネル１の上側部折返し部８と天井２の折返し部とが、上記のボルト（図示省略）等により締結される。同様に、壁パネル１の下側部折返し部９と床部材３の折返し部とが、上記のボルト（図示省略）等により締結される。なお、本実施の形態では、図１に示すように、壁パネル１の上部折返し部４と天井２との間には、高さｈ１を有する隙間２０が形成されている。同様に、壁パネル１の下部折返し部５と床部材３との間には、高さｈ２を有する隙間２１が形成されている。隙間２０，２１は、通気が可能な必要な高さｈ１，ｈ２を有するように形成される。なお、高さｈ１およびｈ２は、同じ値であっても、異なっていてもよい。
【００１５】
図２は、図１に示した壁パネル１の構成を示した斜視図である。
図２に示すように、壁パネル１の上部折返し部４および下部折返し部５には、それぞれ、換気用孔６，７が設けられている。換気用孔６，７は、壁パネル１を構成する鋼板を貫通する貫通孔である。本実施の形態では、換気用孔７から隙間２１を通ってかご室内に空気が侵入する。そうして侵入した空気は、かご室内の乗客の発熱により発生する自然対流によりかご室内を上昇し、隙間２０を通って換気用孔６から、エレベーターかご室外へ排出される。
【００１６】
ただし、本実施の形態は、図２の構成に限定されるものではない。図３に、本実施の形態の変形例を示す。
【００１７】
図３の変形例では、壁パネル１の上下端は、断面がＬ字型になるように、外側に向かって、１回直角に折り曲げられている。
以下では、壁パネル１の上端の折り曲げられたＬ字型の部分を「Ｌ字型折返し部１Ｃ」と呼ぶこととする。また、「Ｌ字型折返し部１Ｃ」のうち、水平方向に延びた部分を「上部折返し部１０」と呼ぶこととする。
同様に、壁パネル１の下端の折り曲げられたＬ字型の部分を「Ｌ字型折返し部１Ｄ」と呼ぶこととする。また、「Ｌ字型折返し部１Ｄ」のうち、水平方向に延びた部分を「下部折返し部１１」と呼ぶこととする。
このように、本実施の形態では、壁パネル１の上端が、Ｌ字型断面となっており、図２に示す上側部折返し部８を有さない。また、同様に、壁パネル１の下端が、Ｌ字型断面となっており、図２に示す下側部折返し部９を有さない。この点が、図１および図２に示した構成と、図３に示した構成との第１の相違点である。
【００１８】
また、図３の変形例では、折返し部１０には切欠き１２が形成され、折返し部１１には換気用孔１３が形成されている。切欠き１２は、Ｕ字型に切り取られた凹部である。また、換気用孔１３は貫通穴である。このように、図３においては、壁パネル１の上端において、換気用孔の代わりに、切欠き１２を設けている。この点が、図１および図２に示した構成と、図３に示した構成との第２の相違点である。
【００１９】
図３の構成において、第１の相違点及び第２の相違点以外は、図１および図２に示した構成と同じである。
【００２０】
このように、図３を用いて説明したように、本実施の形態においては、壁パネル１の上端は、図２の構成に限らず、例えば、図３に示すように、図２の上側部折返し部８に相当する部分を有さず、且つ、切欠き１２を有する、上部折返し部１０でも実施可能である。同様に、本実施の形態においては、壁パネル１の下端は、図２の構成に限らず、例えば、図３に示すように、図２の下側部折返し部９に相当する部分を有さず、且つ、換気用孔１３を有する、下部折返し部１１でも実施可能である。
【００２１】
さらに、図３において、上端と下端の構造を入れ換えても、本実施の形態は実施可能である。あるいは、図３において、上端と下端の両方を、切欠き１２を有するＬ字型折返し部としても、本実施の形態は実施可能である。あるいは、図３において、上端と下端の両方を、換気用孔１３を有するＬ字型折返し部としても、本実施の形態は実施可能である。
【００２２】
また、本実施の形態においては、図４に示すように、換気用孔６から放出される空気の流路となるコの字型折返し部１Ａの当該空気に接する内側の面に、吸音材１４が設置されている。すなわち、壁パネル１の上側部折返し部８の内側、および、当該上側部折返し部８の当該内側に対向する壁パネル１の外壁部分に、吸音材１４が設置されている。吸音材１４は、上部折返し部４の下面にも設置するようにしてもよい。このように吸音材１４を設置することで、換気用孔６からエレベーターかご室内に侵入してくる音を吸収することができる。
【００２３】
同様に、図５に示すように、換気用孔７に向かって流れる空気の流路となるコの字型折返し部１Ｂの当該空気の接する内側の面に、吸音材１５が設置されている。すなわち、壁パネル１の下側部折返し部９の内側、および、当該下側部折返し部９の当該内側に対向する壁パネル１の外壁部分に、吸音材１５が設置されている。吸音材１５は、下部折返し部５の上面にも設置するようにしてもよい。このように吸音材１５を設置することで、換気用孔７からエレベーターかご室内に侵入してくる音を吸収することができる。
【００２４】
なお、図３の変形例においても、同様に、壁パネル１の上下端において、空気の流路となるＬ字型折返し部１Ｃ，１Ｄの内側の空気に接する面に吸音材１４，１５を設置してもよく、その場合においても、同様に、切欠き１２及び換気用孔１３からかご室内に侵入してくる音を吸収することができる。
【００２５】
また、図６は、本実施の形態のさらなる変形例を示す。
図６に示すように、本実施の形態のさらなる変形例では、図２に示す壁パネル１の上側部折返し部８および下側部折返し部９を、それぞれ、上側部折返し部１６および下側部折返し部１７のように長くしている。図６の構成において、この点以外は、図１および図２に示した構成と同じである。
【００２６】
このように、上側部折返し部１６および下側部折返し部１７のように、図２に示す上側部折返し部８および下側部折返し部９よりも折返し部を長くすることで、吸音材１４，１５の設置面積を増やすことが可能である。これにより、さらなる防音効果が期待できる。また、壁パネル１の強度も増すという効果も期待できる。
【００２７】
ただし、図２、図３及び図６のいずれの構成においても、吸音材１４，１５は必ずしも設置する必要はなく、必要に応じて設置すればよい。
【００２８】
以上のように、本実施の形態に係るエレベーターかご室は、上下端から外側に折り返された上部折返し部１Ａ，１Ｃと下部折返し部１Ｂ，１Ｄとを有し、上部折返し部１Ａ，１Ｃと下部折返し部１Ｂ，１Ｄとに換気用孔を設けた壁パネル１と、壁パネル１の上部折返し部１Ａ，１Ｃとの間に通気可能な隙間２０を設けて設置された天井２と、壁パネル１の下部折返し部１Ｂ，１Ｄとの間に通気可能な隙間２１を設けて設置された床部材３とを備えている。
【００２９】
従って、本実施の形態に係るエレベーターかご室は、以下に示すような効果を奏する。
【００３０】
本実施の形態に係るエレベーターかご室は、壁下部だけでなく、壁上部にも、換気用孔を設けるようにしたので、排気も吸気も可能となり、十分な換気効果を得ることができる。
【００３１】
また、本実施の形態に係るエレベーターかご室は、エレベーター乗客の発熱により発生する自然対流を利用して、エレベーターかご室内の換気を行うようにしている。そのため、特許文献１に記載されていたような換気装置を設置する必要がないため、換気装置のコストがかからないだけでなく、換気装置を駆動させるための電気代もかからず、コストが低減される。また、停電の際にも、特に電気を必要としない構造のため、通常通りの換気を行うことができる。
【００３２】
また、換気用孔６，７，１３または切欠き１２を設けた壁パネル１の上下部折り返し部１Ａ，１Ｂ，１Ｃ，１Ｄの空気の流路には、吸音材１４，１５を設置するようにしたので、換気用孔または切欠きからかご室内に侵入してくる音を低減することができ、換気用孔の単位面積当たりの騒音レベルを低減する効果が得られる。
【００３３】
なお、上記の説明においては、壁パネル１の上下端がかご室の外側に向かって曲げ加工されていると説明したが、上下左右端がかご室の外側に向かって曲げ加工されていてもよく、その場合にも、同様の効果を得ることができる。
【００３４】
また、図２，図３の例では、上下端が共にコの字型折返し部、あるいは、上下端が共にＬ字型折返し部であると説明したが、その場合に限らず、上下端のうちのいずれか一方がコの字型折返し部で、上下端のうちの他端がＬ字型折返し部であってもよい。その場合にも、同様の効果を得ることができる。
【符号の説明】
【００３５】
１  壁パネル、２  天井、３  床部材、４  上部折返し部、５  下部折返し部、６，７  換気用孔、８  上側部折返し部、９  下側部折返し部、１０  上部折返し部、１１  下部折返し部、１２  切欠き、１３  換気用孔、１４，１５  吸音材、１６  上側部折返し部、１７  下側部折返し部。
【図１】
2017001758.tif 000003
【図２】
2017001758.tif 000004
【図３】
2017001758.tif 000005
【図４】
2017001758.tif 000006
【図５】
2017001758.tif 000007
【図６】
2017001758.tif 000008